(57)【特許請求の範囲】
【請求項１】
液保持性の吸収体を備えた縦長の吸収性本体と、該吸収性本体の長手方向に沿う両側部それぞれから幅方向の外方に延出する一対のウイングとを有する吸収性物品であって、
前記ウイングの周縁は、該ウイングの外方に向けて凸の曲線のみから構成され、
前記ウイングの最大幅部分を通って前記幅方向に延びる１本の仮想直線を境界として、該ウイングの前記長手方向の前側をウイング前側、後側をウイング後側とし、更に、該ウイング前側及び該ウイング後側それぞれを該長手方向に３等分し、該ウイング前側における、該仮想直線寄りの長手方向３分の２に相当する領域をウイング前側特定領域、該ウイング後側における、該仮想直線寄りの長手方向３分の２に相当する領域をウイング後側特定領域とした場合に、
前記ウイングの最大幅部分は、該ウイングの前記長手方向の中央より前記前側に偏倚しており、前記ウイング前側特定領域は、前記ウイング後側特定領域に比してウイングの周縁の曲率半径が小さく、
前記ウイングの前記長手方向に沿う長さは、該ウイングと前記吸収性本体との境界線近傍において最も長く、
一対の前記ウイングそれぞれの前記幅方向に沿う長さは、前記吸収性本体における一対の該ウイングに挟まれた領域の幅方向の長さの半分以下である吸収性物品。
【請求項２】
液保持性の吸収体を備えた縦長の吸収性本体と、該吸収性本体の長手方向に沿う両側部それぞれから幅方向の外方に延出する一対のウイングとを有する吸収性物品であって、
前記ウイングの周縁は、該ウイングの外方に向けて凸の曲線のみから構成され、
前記ウイングの最大幅部分を通って前記幅方向に延びる１本の仮想直線を境界として、該ウイングの前記長手方向の前側をウイング前側、後側をウイング後側とし、更に、該ウイング前側及び該ウイング後側それぞれを該長手方向に３等分し、該ウイング前側における、該仮想直線寄りの長手方向３分の２に相当する領域をウイング前側特定領域、該ウイング後側における、該仮想直線寄りの長手方向３分の２に相当する領域をウイング後側特定領域とした場合に、
前記ウイングの最大幅部分は、該ウイングの前記長手方向の中央より前記後側に偏倚しており、前記ウイング後側特定領域は、前記ウイング前側特定領域に比してウイングの周縁の曲率半径が小さく、
前記ウイングの前記長手方向に沿う長さは、該ウイングと前記吸収性本体との境界線近傍において最も長く、
一対の前記ウイングそれぞれの前記幅方向に沿う長さは、前記吸収性本体における一対の該ウイングに挟まれた領域の幅方向の長さの半分以下である吸収性物品。
【請求項３】
前記吸収性本体に、前記幅方向に延びる折曲線が、該折曲線の延長線が前記ウイングを通らないように形成されており、該折曲線に沿って該吸収性本体を折り畳み可能になされている請求項１又は２に記載の吸収性物品。
【請求項４】
前記ウイングの一面に、該ウイングを着衣に固定する粘着部が設けられており、
前記ウイングの最大幅部分の前記幅方向の中央よりも該幅方向の外方側に、前記粘着部の一部が存している請求項１〜３の何れか一項に記載の吸収性物品。
【発明の詳細な説明】
【技術分野】
【０００１】
本発明は、生理用ナプキン、パンティライナー、失禁パッド等の吸収性物品に関する。
【背景技術】
【０００２】
従来、吸収性物品として、ショーツ等の着衣に吸収性物品を固定するためのウイングを備えたものが知られている。図５には、ウイングを備えた従来の生理用ナプキンの一例が示されている。図５に示す生理用ナプキン９０は、肌対向面を形成する表面シート９１、非肌対向面を形成する裏面シート（図示せず）、及び両シート間に介在配置された液保持性の吸収体９３を備えた縦長の吸収性本体９４と、該吸収性本体９４の長手方向Ｘに沿う両側部それぞれから幅方向Ｙの外方に延出する一対のウイング９５，９５とを有している。ウイング９５の非肌対向面には、該ウイング９５を着衣に固定するウイング粘着部９６が設けられている。ウイング９５は、平面視して略等脚台形状であり、その周縁は、直線を含んで構成されており、角９５ａを有している。ナプキン９０をショーツに装着するには、先ず、吸収性本体９４を、その非肌対向面に設けられた本体粘着部（図示せず）を介して、ショーツの股下部（クロッチ部）の肌対向面上に固定し、次いで、一対のウイング９５，９５それぞれを、折り返し線９７に沿って吸収性本体９４の非肌対向面側に折り返し、ウイング粘着部９６を介して該股下部の非肌対向面上に固定する。
【０００３】
このようなウイングを備えた吸収性物品においては、装着作業時にウイングを折り返す際に、不用意に折り返すと一部だけが折り返され、ウイング粘着部同士が接着してしまいウイングにシワや隆起部ができたり、ウイングが折り返し線より幅方向の外方位置で折り返され、本体粘着部に接着してしまう誤接着を起こすおそれがある。斯かる課題の解決を図った技術として、特許文献１には、外形状が、前側外形線と、後側外形線と、両外形線を繋ぐ先端側外形線とから構成されるウイングにおいて、吸収性物品の幅方向線と該前側外形線との成す角度よりも該幅方向線と該後側外形線との成す角度の方を大きく設定し、更に、ウイングの重心を、該ウイングの付け根と本体部分との接合線の中央よりも前側に偏倚させる技術が記載されている。また、特許文献１には、ウイングのショーツへの固定性を向上させることを目的として、ウイングの突出長さをショーツのクロッチ幅よりも長くすることも記載されている。
【０００４】
また、特許文献２には、ウイングをショーツの股下部の縁部に沿って折り返して該股下部に固定したときに該ウイングに生じる応力を除去し、該応力に起因するウイングのショーツからの外れを防止する目的で、ウイングの一部に、放射状パターンをなして配置された多数の折り目線からなる波形区分を設ける技術が記載されている。
【先行技術文献】
【特許文献】
【０００５】
【特許文献１】特開２００９−１２５４３０号公報
【特許文献２】特表平９−５１１９２９公報
【発明の概要】
【発明が解決しようとする課題】
【０００６】
ウイングを備えた従来の吸収性物品には、装着作業時（ウイングを折り返す時）や装着中（使用中）において、ウイングが、適切な折り返し部位（例えば図５中の折り返し線９７）とは異なる部位で、意図せずに一面側や他面側に折れ曲がり、それによってウイングにヨレやめくれが発生するという問題があった。ウイングのヨレやめくれは、吸収性物品のショーツ等の着衣に対する安定した固定を妨げ、装着感を低下させる要因ともなり得る。装着作業時や装着中にウイングが意図しない部位で折れ難く、ウイングのヨレやめくれが発生し難い吸収性物品は未だ提供されていない。
【０００７】
従って本発明の課題は、装着作業時や装着中においてウイングの意図しない部位での折れが発生し難い吸収性物品を提供することにある。
【課題を解決するための手段】
【０００８】
本発明者らは、図５に示す如きウイングを備えた生理用ナプキンにおいて、その装着作業時や装着中における意図しない部位でのウイングの折れ（ヨレ・めくれ）について種々検討した結果、１）このようなウイングの折れは、ウイングの角（例えば図５中符号９５ａで示す部位）を起点として生じ易いこと、及び２）装着者の多くが装着作業時にウイングを折り返す際に指を当てる部位である、ウイングの最大幅部分（ウイングの幅方向の長さが最大の部分）から遠い部位ほど、ウイングを折り返す力が伝わり難いため、ウイングの折れが生じ易いことを知見し、更に検討した結果、ウイングの外形（輪郭）を形成するウイング周縁を、比較的緩やかな曲線のみから構成し且つ吸収性物品の長手方向の前側と後側とで非対称とすることにより、ウイングの折れ（ヨレ・めくれ）が効果的に防止されることを知見した。
【０００９】
本発明は、前記知見に基づきなされたもので、液保持性の吸収体を備えた縦長の吸収性本体と、該吸収性本体の長手方向に沿う両側部それぞれから幅方向の外方に延出する一対のウイングとを有する吸収性物品であって、前記ウイングの周縁は、該ウイングの外方に向けて凸の曲線のみから構成され、前記ウイングの最大幅部分を通って前記幅方向に延びる１本の仮想直線を境界として、該ウイングの前記長手方向の一方側をウイング一方側、他方側をウイング他方側とし、更に、該ウイング一方側及び該ウイング他方側それぞれを該長手方向に３等分し、該ウイング一方側における、該仮想直線寄りの長手方向３分の２に相当する領域をウイング一方側特定領域、該ウイング他方側における、該仮想直線寄りの長手方向３分の２に相当する領域をウイング他方側特定領域とした場合に、両特定領域におけるウイングの周縁の曲率半径が互いに異なっており、前記ウイングの前記長手方向に沿う長さは、該ウイングと前記吸収性本体との境界線近傍において最も長い吸収性物品を提供することにより、前記課題を解決したものである。
【発明の効果】
【００１０】
本発明によれば、装着作業時や装着中にウイングが意図しない部位で折れ難く、ウイングのヨレやめくれが発生し難い吸収性物品が提供される。
【図面の簡単な説明】
【００１１】
【図１】図１は、本発明の吸収性物品の一実施形態である生理用ナプキンの肌対向面側を模式的に示す平面図である。
【図２】図２は、図１のＩ−Ｉ線断面を模式的に示す断面図である。
【図３】図３は、図１に示す生理用ナプキンにおけるウイングを拡大して模式的に示す拡大平面図である。
【図４】図４は、本発明に係るウイングの他の実施形態を模式的に示す平面図（図３相当図）である。
【図５】図５は、従来の吸収性物品（生理用ナプキン）の肌対向面側を模式的に示す平面図（図１相当図）である。
【図６】図６（ａ）及び図６（ｂ）は、それぞれ、本発明の範囲外の吸収性物品（生理用ナプキン）におけるウイングを拡大して模式的に示す拡大平面図（図３相当図）である。
【発明を実施するための形態】
【００１２】
以下、本発明の吸収性物品を、その好ましい一実施形態である生理用ナプキンに基づき図面を参照して説明する。本実施形態のナプキン１は、図１及び図２に示すように、液保持性の吸収体４を備えた縦長の吸収性本体１０と、該吸収性本体１０の長手方向Ｘに沿う両側部それぞれから幅方向Ｙの外方に延出する一対のウイング６Ａ，６Ａとを有している。
【００１３】
更に説明すると、吸収性本体１０は、ナプキン１の肌対向面を形成する表面シート２、ナプキン１の非肌対向面を形成する裏面シート３、及びこれら両シート２，３間に介在配置された吸収体４を具備している。吸収性本体１０（ナプキン１）は、図１に示すように、長手方向Ｘに、装着時に装着者の腹寄りに配される前方部Ａと、膣口等の装着者の排泄部に対向する部位を含む排泄部対向部Ｂと、装着時に排泄部対向部Ｂより装着者の背中側に配される後方部Ｃとに区分される。本実施形態のナプキン１における排泄部対向部Ｂは、左右に一対のウイング６Ａ，６Ａを有する部位である。
【００１４】
本明細書において、長手方向（図中のＸ方向）は、吸収性物品（生理用ナプキン）又はその構成部材（吸収性本体等）の長辺に沿う方向であり、幅方向（図中のＹ方向）は、該長手方向と直交する方向である。また、肌対向面は、吸収性物品又はその構成部材における、吸収性物品の装着時に装着者の肌側に向けられる面であり、非肌対向面は、吸収性物品又はその構成部材における、吸収性物品の装着時に肌側とは反対側（下着等の着衣側）に向けられる面である。
【００１５】
図１及び図２に示すように、表面シート２は、吸収体４の肌対向面の全域を被覆し、更に吸収体４の長手方向Ｘに沿う左右両側縁から幅方向Ｙの外方に延出している。
裏面シート３は、吸収体４の非肌対向面の全域を被覆し、更に吸収体４の長手方向Ｘに沿う左右両側縁から幅方向Ｙの外方に延出しており、その延出部と前述した表面シート２の延出部とが、接着剤、ヒートシール、超音波シール等の公知の接合手段によって互いに接合されている。
また、表面シート２及び裏面シート３は、吸収体４の長手方向Ｘの一端及び他端から長手方向Ｘの外方に延出し、それらの延出部において、公知の接合手段によって互いに接合されている。
吸収体４は、図１に示すように、平面視において角が丸みを帯びた略矩形形状をしている。表面シート２及び裏面シート３それぞれと吸収体４との間は接着剤によって接合されていても良い。
【００１６】
吸収性本体１０の肌対向面（表面シート２の肌対向面）における長手方向Ｘに沿う左右両側部には、図１に示すように、平面視において吸収体４の長手方向Ｘに沿う左右両側部に重なるように、一対のサイドシート５，５が吸収性本体１０の長手方向Ｘの略全長に亘って配されている。一対のサイドシート５，５は、それぞれ、その幅方向Ｙの内方側の側部が、公知の接合手段によって形成された平面視線状の接合部８にて表面シート２の肌当接面に接合されており、外方側の側部が、吸収体４の長手方向Ｘに沿う左右両側縁から幅方向Ｙの外方に延出し、その延出部が、公知の接合手段によって、前述した裏面シート３の延出部に接合されている。
【００１７】
裏面シート３及びサイドシート５は、吸収体４の長手方向Ｘに沿う左右両側縁から幅方向Ｙの外方に延出してサイドフラップを形成し、該サイドフラップは、図１に示すように、排泄部対向部Ｂにおいて幅方向Ｙの外方に向かって大きく張り出し、このサイドフラップの幅方向Ｙへの張り出しにより、吸収性本体１０の左右両側に一対のウイング６Ａ，６Ａが延設されている。
【００１８】
図１に示すように、吸収性本体１０には、幅方向Ｙに延びる第１折曲線１１及び第２折曲線１２が形成されており、両折曲線１１，１２に沿って吸収性本体１０を折り畳み可能になされている。両折曲線１１，１２の間には排泄部対向部Ｂが存している。両折曲線１１，１２は、それぞれ、それらの延長線（図１中の折曲線１１，１２を示す一点破線における、ナプキン１からはみ出した部分）がウイング６Ａを通らないように形成されている。本実施形態においては、図１に示すように、両折曲線１１，１２の延長線は、それぞれ、ウイング６Ａの両付け根７１，７２に挟まれた領域より長手方向Ｘの外方を通過することによって、ウイング６Ａを通らないように形成されている。
【００１９】
尚、ウイング部６Ａの両付け根７１，７２は、それぞれ、吸収性本体１０の長手方向Ｘに沿う直線状の側縁とウイング６Ａの周縁６０との連接部及びその近傍であり、ナプキン１の周縁における吸収性本体１０からウイング６Ａに続く部位である。また、長手方向Ｘの一方側（前側）の付け根７１と他方側（後側）の付け根７２とを結んで長手方向Ｘに延びる仮想直線１４（図１及び図３参照）は、ウイング６Ａと吸収性本体１０との境界線であり、ナプキン１の装着時にウイング６Ａを折り返す際には、折り返し線として機能し得る。
【００２０】
ナプキン１を個装形態に折り畳むには、第１折曲線１１より長手方向Ｘの一方側に位置する部位（前方部Ａ）を、表面シート２を内側にして該第１折曲線１１に沿って長手方向Ｘに折り曲げると共に、第２折曲線１２より長手方向Ｘの他方側に位置する部位（後方部Ｃ）を、表面シート２を内側にして該第２折曲線１２に沿って長手方向Ｘに折り曲げ、折り曲げた前方部Ａ及び後方部Ｃを、両折曲線１１，１２に挟まれた部位（排泄部対向部Ｂ）に重ねることによりナプキン１を三つ折りにする。
【００２１】
本発明の吸収性物品の主たる特長の１つは、ウイングの平面視形状にあり、そのポイントは、Ａ）ウイングに角が無いこと、Ｂ）ウイングは吸収性本体の長手方向の前後で非対称であること、及びＣ）ウイングの長手方向に沿う長さは、該ウイングと吸収性本体との境界線近傍において最も長いこと、の３点である。これら３点を満たすことが、装着作業時や装着中にウイングが意図しない部位で折れる不都合を効果的に防止し得ることに繋がる。
【００２２】
本実施形態においては、前記Ａ）に対応して、図１に示すように、ウイング６Ａの周縁６０を、ウイング６Ａの外方に向けて凸の曲線６１のみから構成している。ウイング周縁をこのような凸曲線のみから構成し、直線を含まないようにすることにより、ウイングの外形（輪郭）に角が含まれないようになる。前述したように、装着作業時や装着中におけるウイングの意図しない部位での折れ（ヨレ・めくれ）は、ウイングの角を起点として生じ易いところ、このようにウイングから角を排除することにより、斯かる不都合の発生が効果的に防止される。
【００２３】
このように、本発明に係るウイングは、その周縁が該ウイングの外方に向けて凸の曲線のみから構成されているものに限定されるから、図５に示すウイング９５（平面視して略等脚台形状のウイング）の如き、周縁に直線を含むウイングや、周縁にウイングの内方に向けて凸の曲線を含むウイングは、本発明の範囲外である。例えば、図６（ａ）に示すウイング６Ｐは、その周縁６０が、ウイング６Ｐの外方に向けて凸の曲線６１に加えて、内方に向けて凸の曲線６２を含んでいるので、本発明の範囲外である。
【００２４】
また、本実施形態においては、前記Ｂ）に対応して、図３に示すように、ウイング６Ａの最大幅部分（幅方向Ｙの外方に最も突出している部分。最大幅Ｌ１を有する部分。）を通って幅方向Ｙに延びる１本の仮想直線１３を境界として、ウイング６Ａの長手方向Ｘの前側（一方側）をウイング前側（ウイング一方側）６５、後側（他方側）をウイング後側（ウイング他方側）６６とし、更に、ウイング前側６５及びウイング後側６６それぞれを長手方向Ｘに３等分し、ウイング前側６５における、仮想直線１３寄りの長手方向３分の２に相当する領域をウイング一方側特定領域６５Ｃ、ウイング後側６６における、仮想直線１３寄りの長手方向３分の２に相当する領域をウイング他方側特定領域６６Ｃとした場合に、両特定領域６５Ｃ，６６Ｃにおけるウイング周縁６０の曲率半径Ｒ６５Ｃ，Ｒ６６Ｃを互いに異ならせている。即ち、本実施形態においては、ウイング６Ａの周縁６０の曲率半径（曲率）を長手方向Ｘの一方側と他方側とで異ならせることで、ウイング６Ａの平面視形状を前後非対称な形状としている。
【００２５】
より具体的には、本実施形態においては、図３に示すように、ウイング６Ａの最大幅部分（仮想直線１３と重なる部分）は、ウイング６Ａの長手方向Ｘの中央〔図３中符号１５で示す直線（ウイング６Ａを長手方向Ｘに二分する直線）と重なる部分〕より前側（一方側）に偏倚しており、ウイング前側（ウイング一方側）特定領域６５Ｃは、ウイング後側（ウイング他方側）特定領域６６Ｃに比して、ウイング周縁６０の曲率半径が小さくなっている。即ち、本実施形態においては、ウイング６Ａの最大幅部分が前側に偏倚しており、且つウイング前側特定領域６５Ｃのウイング周縁６０の曲率半径Ｒ６５Ｃとウイング後側特定領域６６Ｃのウイング周縁６０の曲率半径Ｒ６６Ｃとの間に、Ｒ６５Ｃ＜Ｒ６６Ｃなる大小関係が成立しており、前側の特定領域６５Ｃの方が後側の特定領域６６Ｃに比して曲率が大きく、ウイング周縁６０の曲がり具合がきつくなっている。
【００２６】
ウイング６Ａを長手方向Ｘの前側６５と後側６６とに分ける、ウイング６Ａの最大幅部分、中でも該最大幅部分の幅方向Ｙの中央部は、装着者の多くが装着作業時にウイング６Ａを折り返す際に指を当てる部分であり、ウイング６Ａを折り返す力が直接伝わる部分であるところ、前述したように、装着作業時や装着中におけるウイング６Ａの意図しない部位での折れ（ヨレ・めくれ）は、ウイング６Ａの最大幅部分から距離が離れるほど生じ易い。従って、図３に示すように、ウイング６Ａの最大幅部分（仮想直線１３と重なる部分）が長手方向Ｘの前側に偏倚している場合、ウイング前側６５のウイング周縁６０は、相対的に前記最大幅部分に近く、ウイング６Ａを折り返す力が伝わり易いため、ウイングの折れが比較的生じ難いのに対し、ウイング後側６６のウイング周縁６０は、相対的に前記最大幅部分から遠く、ウイング６Ａを折り返す力が伝わり難いため、ウイングの折れが比較的生じ易い。そこで、本実施形態においては、前記Ｂ）に対応して、ウイング６Ａの平面視形状を長手方向Ｘにおいて前後非対称とするために、相対的にウイングの折れが生じ易いウイング後側６６（特定領域６６Ｃ）の曲率半径を、相対的にウイングの折れが生じ難いウイング前側６５（特定領域６５Ｃ）の曲率半径に比して大きく設定しており（曲率としては両者の大小関係は逆転）、それによって本来的に折れが生じ易いウイング後側６６を、折れが生じ難いものとしている。
【００２７】
ウイング前側特定領域６５Ｃのウイング周縁６０の曲率半径Ｒ６５Ｃ、ウイング後側特定領域６６のウイング周縁６０の曲率半径Ｒ６６Ｃは、それぞれ、次式により算出する。
曲率半径＝（Ｗ2／４＋ｈ2）／２ｈ
【００２８】
前記式について、ウイング前側特定領域６５Ｃのウイング周縁６０の曲率半径Ｒ６５Ｃを算出する場合を例にとって図３に基づき説明すると、前記式中、Ｗは、ウイング前側特定領域６５Ｃのウイング周縁６０の末端Ｑ，Ｒを結ぶ線分の長さであり、ｈは、末端Ｑ，Ｒの中点Ｓを通る垂線を引き、その垂線とウイング周縁６０との交点をＰとした場合に、中点Ｓと交点Ｐとを結ぶ線分の長さである。このように、曲率半径Ｒ６５Ｃは、ウイング周縁６０上の３点Ｐ、Ｑ、Ｒを通る円の半径として算出される。ウイング後側特定領域６６Ｃのウイング周縁６０の曲率半径Ｒ６６Ｃも、これと同様に算出できる。
【００２９】
前述した作用効果をより確実に奏させるようにする観点から、ウイング６Ａにおける各部の寸法等は次のように設定することが好ましい。
ウイング前側特定領域６５Ｃのウイング周縁６０の曲率半径Ｒ６５Ｃは、好ましくは１０ｍｍ以上、更に好ましくは１５ｍｍ以上、そして、好ましくは６０ｍｍ以下、更に好ましくは５０ｍｍ以下、より具体的には、好ましくは１０〜６０ｍｍ、更に好ましくは１５〜５０ｍｍである。
ウイング後側特定領域６６Ｃのウイング周縁６０の曲率半径Ｒ６６Ｃは、好ましくは１５ｍｍ以上、更に好ましくは３０ｍｍ以上、そして、好ましくは１００ｍｍ以下、更に好ましくは８０ｍｍ以下、より具体的には、好ましくは１５〜１００ｍｍ、更に好ましくは３０〜８０ｍｍである。
曲率半径Ｒ６５Ｃと曲率半径Ｒ６６Ｃとの比（前者／後者）は、好ましくは０．１〜０．９、更に好ましくは０．２〜０．８である。
【００３０】
ウイング６Ａの最大幅Ｌ１（図１及び図３参照）は、好ましくは２０ｍｍ以上、更に好ましくは２５ｍｍ以上、そして、好ましくは４０ｍｍ以下、更に好ましくは３５ｍｍ以下、より具体的には、好ましくは２０〜４０ｍｍ、更に好ましくは２５〜３５ｍｍである。
ウイング６Ａと吸収性本体１０との境界線１４の長さＬ２（図３参照。ウイング６Ａの両付け根７１，７２の離間距離。）は、好ましくは５５ｍｍ以上、更に好ましくは７０ｍｍ以上、そして、好ましくは１２５ｍｍ以下、更に好ましくは１１０ｍｍ以下、より具体的には、好ましくは５５〜１２５ｍｍ、更に好ましくは７０〜１１０ｍｍである。
ウイング６Ａの最大幅部分を通る仮想直線１３とウイング６Ａを長手方向Ｘに二分する直線１５との離間距離Ｌ３（図３参照）は、好ましくは２ｍｍ以上、更に好ましくは５ｍｍ以上、そして、好ましくは３０ｍｍ以下、更に好ましくは２０ｍｍ以下、より具体的には、好ましくは２〜３０ｍｍ、更に好ましくは５〜２０ｍｍである。離間距離Ｌ３は、ウイング６Ａの最大幅部分の長手方向Ｘにおける偏倚度合い（ウイングの長手方向中央からの離間度合い）の指標となる。
【００３１】
また、本実施形態においては、前記Ｃ）に対応して、ウイング６Ａの長手方向Ｘに沿う長さは、ウイング６Ａと吸収性本体１０との境界線１４の近傍（境界線１４から３ｍｍ以内の領域）において最も長くなっている。即ち、図１及び図３に示すように、ナプキン１における境界線１４から幅方向Ｙの外方に位置する部位の長手方向Ｘに沿う長さは、境界線１４から幅方向Ｙの外方に向かって漸次減少しており、従って、ウイング６Ａの長手方向Ｘに沿う長さは、境界線１４の近傍において最も長く、その最大長さは、ウイング６Ａと吸収性本体１０との境界線１４の長さＬ２に略等しい。
【００３２】
このように、本発明に係るウイングは、前記Ｃ）を満たすものに限定されるから、前記Ｃ）を満たさないウイング、例えば図６（ｂ）に示すウイング６Ｑは、本発明の範囲外である。ウイング６Ｑにおいては、図６（ｂ）に示すように、その長手方向Ｘに沿う長さは、境界線１４から幅方向Ｙの略中央に向かって漸次増加していて、境界線１４の近傍において最長となっておらず、境界線１４の近傍よりも幅方向Ｙの外方に位置する幅方向中央部（境界線１４と平行な仮想直線１６と重なる部分）で最長となっている。前記Ｃ）を満たさないウイング６Ｑは、その長手方向Ｘに沿う長さが最長となっている幅方向中央部の前後端部（図６（ｂ）中、点線で囲んだ部分）が、その近傍のウイング６Ｑの付け根７１，７２を起点として意図しない形状に折れ曲がり、ヨレやめくれが発生するおそれがある。これに対し、本発明に係るウイングは、前記Ｃ）を満たしているため、このような不本意な折れは発生し難い。
【００３３】
本実施形態においては、一対のウイング６Ａ，６Ａそれぞれの幅方向Ｙに沿う長さ（前記最大幅Ｌ１）は、吸収性本体１０における一対のウイング６Ａ，６Ａに挟まれた領域（排泄部対向部Ｂ）の幅方向Ｙの長さＬ４（図１参照）の半分以下である。斯かる構成の採用により、ナプキン１の装着作業時において、一対のウイング６Ａ，６Ａを吸収性本体１０の非肌対向面側に折り返したときに、折り返された両ウイング６Ａ，６Ａの幅方向Ｙの先端部どうしが重なり難いため、ナプキン１の装着中にウイング６Ａにシワが形成され難く、ウイングのヨレやめくれがより一層発生し難くなる。
【００３４】
また、ナプキン１の装着状態において、排泄部対向部Ｂの幅方向Ｙの中央部は、該ナプキン１が装着者の両大腿部間に挟まれて幅方向Ｙの両側から圧縮されることに起因して、その肌対向面側が装着者の肌側に向けて突出し、それとは反対側の該中央部の非肌対向面側には該肌側に向けて凹の窪みが生じるところ、仮に、一対のウイング６Ａ，６Ａそれぞれの幅方向Ｙに沿う長さ（前記最大幅Ｌ１）が、吸収性本体１０における両ウイング６Ａ，６Ａに挟まれた領域（排泄部対向部Ｂ）の幅方向Ｙの長さＬ４の半分を超えていると、排泄部対向部Ｂの非肌対向面側に折り返された一対のウイング６Ａ，６Ａは、それぞれ、排泄部対向部Ｂの幅方向Ｙの中央部を跨ぐように配されるため、前記窪みの形状に合わせて折れ曲がり、ウイング６Ａのヨレやめくれを誘発する可能性がある。これに対し、本実施形態のように、ウイング６Ａの幅方向Ｙに沿う長さ（前記最大幅Ｌ１）が吸収性本体１０の幅方向Ｙの長さＬ４の半分以下であると、ナプキン１の装着状態において、排泄部対向部Ｂにおける前記窪みが生じている部分にウイング６Ａがかからないため、斯かる窪みに起因するウイング６Ａの折れ曲がりやそれによるヨレやめくれが一層効果的に防止される。
【００３５】
斯かる作用効果をより確実に奏させるようにする観点から、ウイング６Ａの最大幅Ｌ１（図３参照）と吸収性本体１０における一対のウイング６Ａ，６Ａに挟まれた領域の幅方向Ｙの長さＬ４（図１参照）との比（前者／後者）は、好ましくは０．２０〜０．４８、更に好ましくは０．２５〜０．４０である。また、吸収性本体１０の長さＬ４は、好ましくは６０ｍｍ以上、更に好ましくは７０ｍｍ以上、そして、好ましくは１３０ｍｍ以下、更に好ましくは１２０ｍｍ以下、より具体的には、好ましくは６０〜１３０ｍｍ、更に好ましくは７０〜１２０ｍｍである。
【００３６】
図１に示すように、一対のウイング６Ａ，６Ａの非肌対向面には、それぞれ、ウイング６Ａを下着等の着衣に固定するウイング粘着部７が設けられている。ウイング粘着部７は、平面視して矩形形状を有している。ウイング粘着部７は、ホットメルト粘着剤を所定箇所に塗布することにより設けられており、ナプキン１の使用前においてはフィルム、不織布、紙等からなる図示しない剥離シートによって被覆されている。
【００３７】
本実施形態においては、図１に示すように、ウイング６Ａの最大幅部分（最大幅Ｌ１を有する部分）の幅方向Ｙの中央〔図１中符号１６で示す直線（ウイング６Ａを幅方向Ｙに二分する幅方向中央直線）と重なる部分〕よりも幅方向Ｙの外方側に、ウイング粘着部７の一部が存している。一般に、ウイングのヨレやめくれは、ウイングと吸収性本体との境界線に近い部位ほど発生し難く、該境界線から離れるほど（ウイングの周縁に近づくほど）発生し易いところ、本実施形態のように、ウイング６Ａの最大幅部分の幅方向Ｙの中央よりも幅方向Ｙの外方側にウイング粘着部７の一部が存するようにすることで、ウイング６Ａのヨレやめくれを一層効果的に防止できる。その主たる理由は、ウイング粘着部７の設置に起因する、ウイング６Ａの周縁６０及びその近傍（以下、ウイング周縁部ともいう）の剛性の向上及びショーツ等の着衣への接着性の発現と密接に関係する。即ち、ヨレやめくれが発生し易いウイング周縁部又はその近傍にウイング粘着部７が存在することにより、該ウイング周縁部自体の剛性が高くなるため、ナプキン１を下着に装着する際、該ウイング周縁部にヨレやめくれが発生し難くなり、また、ナプキン１の装着中に関しても、該ウイング周縁部又はその近傍がウイング粘着部７を介して下着に接着していることにより、該ウイング周縁部にヨレやめくれが発生し難くなる。また、図５に示す如き従来形状のウイングにおいて、ヨレやめくれが発生し易いウイング周縁部に粘着部が配されていると、ヨレやめくれが発生した時に該粘着部の一部と他の部分とが互いに接着する自己接着の不都合が生じるおそれがあるが、本実施形態に係るウイング６Ａは、前述したように、該ウイング６Ａ自体がヨレやめくれの発生し難い設計となっているため、このような従来ウイングに見られる粘着部の自己接着を気にすることなく、ウイング周縁部の剛性の向上と接着性の発現の観点から、前述したウイング粘着部７の適切な配置を採用することができる。
【００３８】
ナプキン１における各部の形成材料について説明すると、表面シート２及び裏面シート３としては、当該技術分野において従来用いられている各種のものを特に制限なく用いることができる。表面シート２としては、例えば、親水化処理が施された各種不織布や開孔フィルム等の液透過性のシートを用いることができる。また、裏面シート３としては、液不透過性でも液透過性でも良く、例えば透湿性を有しない樹脂フィルムや、微細孔を有し、透湿性を有する樹脂フィルム、撥水不織布等の不織布、これらと他のシートとのラミネート体等を用いることができる。
【００３９】
吸収体４を構成する材料としては、当該技術分野において従来用いられている各種のものを特に制限なく用いることができ、例えば、木材パルプ、合繊繊維等の親水性繊維からなる繊維集合体、又は該繊維集合体に粒子状の吸水性ポリマーを保持させたもの等を用いることができる。また、吸収体４は、前記繊維集合体等からなる液保持性の吸収性コアと、該吸収性コアを被覆する液透過性のコアラップシートとを含んで構成されていても良く、その場合、吸収性コアとコアラップシートとの間は、所定の部位においてホットメルト粘着剤等の接合手段により接合されていても良い。吸収性コアを被覆するコアラップシートとしては、例えば、ティッシュペーパー等の紙、各種不織布、開孔フィルム等の透水性シートを用いることができる。
【００４０】
サイドシート５としては、当該技術分野において従来用いられている各種のものを特に制限なく用いることができ、例えば、例えば、撥水性の不織布、樹脂フィルム製のシート、不織布と樹脂フィルムとのラミネート体等を用いることができる。特に撥水性のエアスルー不織布を用いることが、肌触りの良さと横モレ防止の点から好ましい。
【００４１】
本実施形態のナプキン１は、公知のウイングを有する生理用ナプキンと同様に、下着等の着衣に装着して使用する。本実施形態のナプキン１を使用する際、一対のウイング６Ａ，６Ａは、それぞれ、吸収性本体１０の非肌対向面側に折り返され、ウイング粘着部７を介して着衣の非肌対向面（外面）に固定される。本実施形態のナプキン１によれば、前記Ａ）〜Ｃ）のポイントに基づいてウイング６Ａの平面視形状が工夫されていることにより、装着作業時や装着中にウイング６Ａが意図しない部位で折れ難く、ウイング６Ａのヨレやめくれが発生し難いため、ウイング６Ａに起因する装着感の低下等を招くことなく、ナプキン１が下着等の着衣に対して安定的に固定され、それによって設計通りの優れた防漏効果が奏される。また、本実施形態においては、一対のウイング６Ａ，６Ａそれぞれの幅方向Ｙに沿う長さが、吸収性本体１０における一対のウイング６Ａ，６Ａに挟まれた領域（排泄部対向部Ｂ）の幅方向Ｙの長さの半分以下とされているため、ウイング６Ａの平面視形状の工夫による作用と相俟って、前記効果（ウイング６Ａのヨレ・めくれ防止効果）がより一層確実に奏される。
【００４２】
図４には、本発明に係るウイングの他の実施形態（ウイング６Ｂ）が示されている。後述する他の実施形態については、前記実施形態（ウイング６Ａ）と異なる構成部分を主として説明し、同様の構成部分は同一の符号を付して説明を省略する。特に説明しない構成部分は、前記実施形態についての説明が適宜適用される。
【００４３】
ウイング６Ｂは、前記Ｂ）の具体的な形態の点で前述したウイング６Ａと異なっており、ウイング６Ｂにおいては、図４に示すように、ウイング６Ｂの最大幅部分（仮想直線１３と重なる部分）は、ウイング６Ｂの長手方向Ｘの中央〔図４中符号１５で示す直線（ウイング６Ｂを長手方向Ｘに二分する直線）と重なる部分〕より後側（他方側）に偏倚しており、ウイング後側（ウイング他方側）特定領域６６Ｃは、ウイング前側（ウイング一方側）特定領域６５Ｃに比して、ウイング周縁６０の曲率半径が小さくなっている。即ち、図４に示す実施形態においては、ウイング６Ｂの最大幅部分が後側に偏倚しており、且つウイング前側特定領域６５Ｃのウイング周縁６０の曲率半径Ｒ６５Ｃとウイング後側特定領域６６Ｃのウイング周縁６０の曲率半径Ｒ６６Ｃとの間に、Ｒ６５Ｃ＞Ｒ６６Ｃなる大小関係が成立しており、後側の特定領域６６Ｃの方が前側の特定領域６５Ｃに比して曲率が大きく、ウイング周縁６０の曲がり具合がきつくなっている。要するに、ウイング６Ｂは、ナプキン１においてウイング６Ａの長手方向Ｘの前後を逆にしたものと同じである。ウイング６Ｂを備えた吸収性物品（生理用ナプキン）によっても、前述したウイング６Ａを備えたナプキン１と同様の効果が奏される。但し、一般に、生理用ナプキンの装着時に装着者の動き等によりウイングに加わる外力は、長手方向の後側の方が前側よりも大きいところ、ウイング６Ａは、前述したように、その最大幅部分が長手方向Ｘの前側（一方側）に偏倚していることにより、後側（他方側）の面積が相対的に小さくなっているため（図３参照）、これとは逆に後側（他方側）の面積が相対的に大きくなっているウイング６Ｂに比して、ヨレやめくれが一層発生し難い。
【００４４】
ウイング６Ｂにおける各部の寸法等は次のように設定することが好ましい。
ウイング前側特定領域６５Ｃのウイング周縁６０の曲率半径Ｒ６５Ｃは、好ましくは１５ｍｍ以上、更に好ましくは３０ｍｍ以上、そして、好ましくは１００ｍｍ以下、更に好ましくは８０ｍｍ以下、より具体的には、好ましくは１５〜１００ｍｍ、更に好ましくは３０〜８０ｍｍである。
ウイング後側特定領域６６Ｃのウイング周縁６０の曲率半径Ｒ６６Ｃは、好ましくは１０ｍｍ以上、更に好ましくは１５ｍｍ以上、そして、好ましくは６０ｍｍ以下、更に好ましくは５０ｍｍ以下、より具体的には、好ましくは１０〜６０ｍｍ、更に好ましくは１５〜５０ｍｍである。
曲率Ｒ６５Ｃと曲率Ｒ６６Ｃとの比（前者／後者）は、好ましくは１．１〜１０、更に好ましくは１．２〜５である。
【００４５】
以上、本発明をその好ましい実施形態に基づき説明したが、本発明は前記実施形態に制限されない。例えば、ウイングの位置は、吸収性本体の長手方向中央部に制限されず、それより長手方向前側（一方側）でも良く、後側（他方側）でも良い。また、前記実施形態はウイングを一対有していたが、ウイングを二対以上有していても良く、例えば前記実施形態のナプキン１において、排泄部対向部Ｂに位置する一対のウイング６Ａ，６Ａに加えて、後方部Ｃに位置する別の一対のウイング（後方フラップ）を設けても良い。その場合、別の一対のウイング（後方フラップ）は、前述したウイング６Ａに特有の形状を有していなくても良い。
【００４６】
また、吸収性本体１０の非肌対向面には、吸収性本体１０を下着等の着衣に固定する本体粘着部が設けられていても良い。また、本発明の吸収性物品は、生理用ナプキンの他、パンティライナー（おりものシート）、失禁パッド等にも適用できる。
【符号の説明】
【００４７】
１  生理用ナプキン（吸収性物品）
２  表面シート
３  裏面シート
４  吸収体
５  サイドシート
６Ａ，６Ｂ，６Ｐ，６Ｑ  ウイング
６０  ウイングの周縁
６１  ウイングの外方に向けて凸の曲線
６５  ウイング前側（ウイング一方側）
６５Ｃ  ウイング前側特定領域
６６  ウイング後側（ウイング他方側）
６６Ｃ  ウイング後側特定領域
７  ウイング粘着部
７１，７２  ウイングの付け根
１０  吸収性本体
１１  第１折曲線
１２  第２折曲線
１３  ウイングの最大幅部分を通って幅方向に延びる仮想直線
１４  ウイングと吸収性本体との境界線
Ａ  前方部
Ｂ  排泄部対向部
Ｃ  後方部
【図１】
0005977567.tif 000002
【図２】
0005977567.tif 000003
【図３】
0005977567.tif 000004
【図４】
0005977567.tif 000005
【図５】
0005977567.tif 000006
【図６】
0005977567.tif 000007